(57)【特許請求の範囲】
【請求項１】
ネットワークを介して情報提供装置と通信可能な撮像装置であって、
装置の固有情報と、装置に装着中のアクセサリに関する情報と、装着したことのあるアクセサリの履歴情報と、撮影条件に関する情報とを、前記ネットワークを介して前記情報提供装置へ送信する送信手段と、
前記情報提供装置へ送信した情報に基づいて当該情報提供装置から撮影補助情報を取得する取得手段と、を有することを特徴とする撮像装置。
【請求項２】
前記撮影条件に関する情報は、シーンを撮影する場所を示す情報、シーンを撮影する方位を示す情報、シーンを撮影する日時を示す情報、ストロボ装着の有無を示す情報を含むことを特徴とする請求項１に記載の撮像装置。
【請求項３】
前記情報提供装置から取得した撮影補助情報を提示する提示手段をさらに有することを特徴する請求項１または２に記載の撮像装置。
【請求項４】
前記情報提供装置から取得した撮影補助情報が、現在装着中のアクセサリにより設定可能か判定する判定手段と、
設定不可と判定された場合に、前記現在装着中のアクセサリの交換を促す情報を提示する提示手段と、をさらに有することを特徴とする請求項１または２に記載の撮像装置。
【請求項５】
前記情報提供装置から取得した撮影補助情報が、現在装着中のアクセサリにより設定可能か判定する判定手段と、
設定不可と判定された場合に、他の撮影補助情報に変更可能であることを提示する提示手段と、をさらに有することを特徴とする請求項１または２に記載の撮像装置。
【請求項６】
前記提示手段は、現在装着中のアクセサリに関する情報を保持するか否かを問い合わせる手段と、すでに保持されている履歴情報を削除するか否かを問い合わせる手段と、を有することを特徴とする請求項３に記載の撮像装置。
【請求項７】
前記撮影補助情報は構図に関する情報を含むことを特徴とする請求項３に記載の撮像装置。
【請求項８】
前記提示手段は、前記構図に関する情報を前記撮像装置により撮像された画像に重畳して提示することを特徴とする請求項７に記載の撮像装置。
【請求項９】
前記撮像装置に装着可能なアクセサリは、レンズユニットを含むことを特徴とする請求項１ないし８のいずれか１項に記載の撮像装置。
【請求項１０】
ネットワークを介して情報提供装置と通信可能な撮像装置の制御方法であって、
装置の固有情報と、装置に装着中のアクセサリに関する情報と、装着したことのあるアクセサリの履歴情報と、撮影条件に関する情報とを、前記ネットワークを介して前記情報提供装置へ送信する送信工程と、
前記情報提供装置へ送信した情報に基づいて当該情報提供装置から撮影補助情報を取得する取得工程と、を有することを特徴とする制御方法。
【請求項１１】
コンピュータを、請求項１ないし９のいずれか１項に記載された撮像装置の各手段として機能させるためのプログラム。
【発明の詳細な説明】
【技術分野】
【０００１】
本発明は、ネットワークを介して外部から構図情報を取得する撮影技術に関する。
【背景技術】
【０００２】
デジタルカメラなどの撮像装置では、予め内蔵メモリに保持されている構図情報（撮影パラメータ）やユーザがマニュアルで設定する構図情報に基づいて撮影が行われている。例えばポートレート撮影やマクロ・夜景撮影など、シーンに特化したレンズの絞り値、シャッタースピード、ＩＳＯ感度といった撮影パラメータが装置内部に保持されており、それらの情報を用いて撮影を行うケースが主流である。
【０００３】
ところで、近年ネットワーク通信技術の急速な普及により機器の常時接続化やクラウド化が進んでおり、撮影パラメータなどの情報をネットワークを介してサーバなどから取得して撮影を行うことも提案されている（例えば、特許文献１参照）。
【先行技術文献】
【特許文献】
【０００４】
【特許文献１】特開２００２−０１０１１４号公報
【発明の概要】
【発明が解決しようとする課題】
【０００５】
上記特許文献１によれば、サーバが装着中のアクセサリ情報なども考慮して最適な構図を選定することができる。しかしながら、ユーザがレンズをはじめとする複数のアクセサリを所持している場合、持ち歩いてはいるが現在装着していない、ということもある。この場合、レンズさえ交換すれば撮影できたシーンを撮り逃してしまう可能性がある。
【０００６】
本発明は、上記課題に鑑みてなされ、その目的は、情報提供装置から提供される構図情報の種類を拡大することができる撮影技術を実現することである。
【課題を解決するための手段】
【０００７】
上記課題を解決し、目的を達成するために、本発明の撮像装置は、ネットワークを介して情報提供装置と通信可能な撮像装置であって、装置の固有情報と、装置に装着中のアクセサリに関する情報と、装着したことのあるアクセサリの履歴情報と、撮影条件に関する情報とを、前記ネットワークを介して前記情報提供装置へ送信する送信手段と、前記情報提供装置へ送信した情報に基づいて当該情報提供装置から撮影補助情報を取得する取得手段と、を有する。
【発明の効果】
【０００８】
本発明によれば、情報提供装置から提供される構図情報の種類を拡大することができる。よって、アクセサリを有効に利用した構図で撮影を行うことが可能となる。
【図面の簡単な説明】
【０００９】
【図１】本発明に係る実施形態の撮像装置の前面（ａ）及び背面（ｂ）を示す外観図。
【図２】本実施形態の撮像装置の構成を示すブロック図（ａ）、撮影条件取得部の構成を示すブロック図（ｂ）、及びレンズユニットの構成を示すブロック図（ｃ）。
【図３】本実施形態の情報提供装置の構成を示すブロック図。
【図４】本実施形態の情報提供装置が保有するデータベースの構成を示す図。
【図５】実施形態１の補助情報取得処理を示すフローチャート。
【図６】本実施形態の情報提供装置の動作を示すフローチャート。
【図７】実施形態１の補助情報提示例を示す図。
【図８】実施形態２の補助情報取得処理を示すフローチャート。
【図９】実施形態２のレンズ交換勧告画面（ａ）及びレンズ交換勧告後の補助情報提示例（ｂ）を示す図。
【図１０】実施形態２の履歴情報削除画面を示す図。
【図１１】実施形態３の補助情報取得処理を示すフローチャート。
【図１２】補助情報変更可能勧告画面を示す図。
【発明を実施するための形態】
【００１０】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１１】
［実施形態１］以下、本発明の撮像装置を、例えば、静止画を撮影するデジタルカメラなどの撮像装置に適用した実施形態について説明する。
【００１２】
＜装置構成＞先ず、図１を参照して、本発明に係る実施形態の撮像装置の外観について説明する。
【００１３】
図１において、撮像装置１００は、レリーズボタン１０３、表示部１０７と、操作部１０９、レンズマウント１１１、ストロボ検出部１１２を備える。レリーズボタン１０３は撮影の開始または終了を指示するトリガと、撮影補助情報を取得するトリガとなる信号を出力する操作部であり、第１の押圧状態Ｓ１と第２の押圧状態Ｓ２の２段階の状態を持つ。また、第２の押圧状態Ｓ２への移行は第１の押圧状態Ｓ１を必ず通過するように構成される。
【００１４】
レンズマウント１１１は、図２で後述するアクセサリとしてのレンズユニット２００を撮像装置１００と通信可能に接続する手段である。このレンズマウント１１１は、撮像装置１００はレンズユニット２００との間で、レンズユニット２００の装着の有無、装着中のレンズの機種情報といった固有の情報の授受を行う。また、レンズマウント１１１の近傍には、レンズロック解除ボタン１１１ａが配置されており、このレンズロック解除ボタン１１１ａを押下することで、装置本体からレンズユニット２００を取り外し、交換することができる。
【００１５】
ストロボ検出部１１２は、アクセサリとして装置に選択的に装着可能なストロボの有無を検出する手段であり、撮像装置１００は、レンズマウント１１１と同様に、ストロボ装着の有無、ストロボに固有の情報の授受を行う。
【００１６】
次に、図２を参照して、本実施形態の撮像装置１００及びレンズユニット２００の構成について説明する。
【００１７】
まず、撮像装置１００の構成について説明する。
【００１８】
図２（ａ）において、撮像装置１００は後述するレンズユニット２００が着脱可能である。
【００１９】
撮像部１０１は、レンズユニット２００により結像される被写体像を光電変換素子により電気信号に変換して生成したアナログ画像信号をデジタル信号に変換し、ＪＰＥＧ符号化やＭＰＥＧ符号化などの信号処理を施したデジタル画像データを生成する。撮像部１０１により生成されたデジタル画像データはメモリカード１０５に記録される。
【００２０】
ＣＰＵ１０２は不揮発性メモリ１１０に格納されているプログラムコードをＲＡＭなどの揮発性メモリに展開し実行すると共に、レリーズボタン１０３や操作部１０９からの操作入力、通信部１０４により受信した各種情報に応じた処理を行う。
【００２１】
レリーズボタン１０３は、撮影の開始または終了を指示する撮像トリガと、図３で後述する情報提供装置３００から撮影補助情報の取得を開始するトリガとなる信号を出力する。
【００２２】
通信部１０４は、図４で後述するデータベース４００を保有する情報提供装置３００と通信し、この情報提供装置３００に対して撮影補助情報の送信を要求したり、反対に撮像装置１００から機種情報やレンズ情報、撮影条件などを送信する。通信部１０４は、例えばＴＣＰ／ＩＰなどの通信プロトコルを用いて、情報提供装置３００と情報の授受を行うことができればよく、インターネット、ＬＡＮ、ＷＡＮその他のネットワークを適用できる。
【００２３】
メモリカード１０５は、撮像装置１００のスロットに対して着脱可能なフラッシュメモリやＵＳＢメモリであり、画像データの書き込みや読み出しに用いられる。
【００２４】
図２（ｂ）に示すように、撮影条件取得部１０６は、撮影条件としての現在位置を取得するためのＧＰＳ１０６１、装置の方角を取得するためのデジタルコンパス１０６２、撮影日時を取得するための日時情報取得部１０６３を備える。ＧＰＳ１０６１はＧＰＳアンテナにより複数のＧＰＳ衛星からの電波を受信して測位することにより現在位置の緯度、経度、高度などの情報を取得する。デジタルコンパス１０６２は被写体を撮影するときの装置の方角に関する方位情報を取得する。日時情報取得部１０６３は季節や時間帯に関する日時情報をバッテリで動作する内蔵時計から取得する。なお、上記現在位置情報、方位情報、および日時情報などの撮影条件に関する情報を通信部１０４がインターネットを介して外部のＮＴＰサーバから取得してもよい。
【００２５】
表示部１０７は、撮像装置１００の設定に関するメニューの表示や、撮像部１０１により撮像された画像の表示（ライブビュー）や、それらに重畳して撮影補助情報（図７参照）の表示を行う。レンズ制御部１０８は、レンズマウント１１１を介して後述するレンズユニット２００に制御信号を出力して後述するレンズ群２０１の駆動を制御する。また、レンズ制御部１０８は、レンズマウント１１１を介して装置本体に装着されたレンズユニット２００からレンズに関する固有情報を取得する。
【００２６】
操作部１０９は、ユーザが行う撮像装置１００の設定に関するメニューの操作や、メモリカード１０５に格納されている画像データの選択や閲覧を行う操作、情報提供装置３００から取得した複数の撮影補助情報のいずれかを指定する操作などを受け付ける。
【００２７】
不揮発性メモリ１１０は、例えば装置本体の設定など、非起動時においても、次回起動時まで保持すべき情報が格納される。また本実施形態では、装置本体の機種情報や上述した撮影条件、装置本体に装着されたレンズユニット２００から取得した固有情報の保持にも用いられる。
【００２８】
レンズマウント１１１は、装置本体に装着されたレンズユニット２００の固有情報を授受するためのインターフェースとなる。
【００２９】
ストロボ検出部１１２は、装置本体に対してストロボが装着されていることを検出する。
【００３０】
構図判定部１１３は、情報提供装置３００から取得した撮影補助情報が現在装着されているレンズに適合するか判定する。
【００３１】
次に、レンズユニット２００の構成について説明する。
【００３２】
図２（ｃ）において、レンズユニット２００は、撮像装置１００に対して着脱可能であり、主にレンズ群２０１、レンズマイコン２０２、不揮発性メモリ２０３、レンズ駆動部２０４、通信部２０５を備える。
【００３３】
レンズ群２０１は、ズームレンズやフォーカスレンズなどの複数のレンズから構成される。
【００３４】
レンズマイコン２０２は、撮像装置１００のレンズ制御部１０８からの制御信号に応じてズームやフォーカスなどの光学補正演算を行い、演算結果に応じた制御指令をレンズ駆動部２０４へ出力する。
【００３５】
不揮発性メモリ２０３は、レンズユニット２００に関する固有情報が格納される。
【００３６】
レンズ駆動部２０４は、レンズマイコン２０２からの制御指令に応じてレンズ群２０１を駆動する。
【００３７】
通信部２０５は、撮像装置１００から制御信号を受信したり、撮像装置１００へレンズユニット２００の固有情報や制御情報を送信する。
【００３８】
＜情報提供装置の構成＞次に、図３を参照して、データベースを保有する情報提供装置３００の構成について説明する。
【００３９】
図３において、ＣＰＵ３０１は、制御プログラムや入力データに応じて情報提供装置３００での通信制御などを行う。通信部３０２は撮像装置１００などのクライアント装置と通信を行う。ＲＡＭ３０３は揮発性のメモリであり、データの一時記憶領域やプログラムの作業領域として用いられる。ハードディスク（ＨＤＤ）３０４は、各種データやプログラムを記憶する補助記憶装置である。なお、本実施形態では、図４で後述するデータベース４００もＨＤＤ３０４に構築されているものとする。
【００４０】
なお、情報提供装置３００の一例としてはクラウドコンピューティングの形態でのＷｅｂサーバが挙げられるが、図３の構成に限定されず、例えば制御部やストレージをネットワークを介して複数のサーバに分散することも可能である。
【００４１】
＜データベースの構成＞次に、図４を参照して、情報提供装置３００が保有するデータベース４００の構成について説明する。
【００４２】
図４において、データベース４００はシーンという単位で情報を管理している。シーンは複数の情報（本体ＩＤ、レンズＩＤ、ＧＰＳ（現在位置）情報、方位情報、日時情報、ストロボ有無情報、撮影補助情報）と関連付けられている。
【００４３】
本体ＩＤ４０１は、そのシーンを撮影するのに適した撮像装置の機種を示す。レンズＩＤ４０２は、そのシーンを撮影するのに適したレンズの種類を示す。ＧＰＳ情報４０３は、そのシーンを撮影するのに適した場所を示し、本実施形態では緯度、経度で示される。方位情報４０４はそのシーンを撮影するのに適した方角を示す。日時情報４０５はそのシーンを撮影するのに適した日時を示し、特に季節や時間帯を特定するのに役立つ。ストロボ有無情報４０６はそのシーンを撮影するのにストロボ撮影が適しているか否かを示す。撮影補助情報４０７はそのシーンを最適に撮影するための構図を示す。
【００４４】
撮影補助情報４０７は、例えば最適な構図で撮影された画像データであったり、カメラのグリッド線などの表示を制御する情報などであってもよい。また、最適な設定を促すためにユーザに提示する情報であってもよい。なお、本体ＩＤ４０１とレンズＩＤ４０２は別項目としたが、本体ＩＤ４０１とレンズＩＤ４０２のセットを１つの項目として管理してもよい。
【００４５】
＜撮影補助情報の取得処理＞次に、図５を参照して、本実施形態による撮影補助情報の取得処理について説明する。なお、本処理は、ＣＰＵ１０２が不揮発性メモリ１１０に格納されたプログラムをＲＡＭに展開し実行することにより実現される。
【００４６】
ユーザ操作などに応じて撮像装置１００が撮影モードに移行すると、図５の処理が開始される。
【００４７】
図５において、Ｓ５０１では、ＣＰＵ１０２はレリーズボタン１０３が第１の押圧状態Ｓ１となったか判定する。そして、第１の押圧状態Ｓ１と判定された場合、通信部１０４により情報提供装置３００との通信を開始する。
【００４８】
Ｓ５０２では、ＣＰＵ１０２は、装置本体の機種情報や撮影条件、レンズ固有情報を不揮発性メモリ１１０から取得する。レンズ固有情報は、装置本体にレンズユニット２００が装着されたタイミングで、通信部２０５からレンズマウント１１１を介して撮像装置１００に送信される。また、Ｓ５０２では第１の押圧状態Ｓ１のときのＧＰＳ情報、方位情報、日時情報を撮影条件取得部１０６から取得する。ストロボ装着有無情報はストロボ検出部１１２から取得する。なお、本実施形態では予めＧＰＳ１０６１による測位を定期的に行っており、最新の位置情報が撮影条件取得部１０６内に保持されているものとする。よって、Ｓ５０２では、ＣＰＵ１０２は第１の押圧状態Ｓ１のときの現時点で最新の位置情報を取得することになる。
【００４９】
Ｓ５０３では、ＣＰＵ１０２は、Ｓ５０２にて取得した各種情報を、通信部１０４を介して情報提供装置３００へ送信する。
【００５０】
ここで、図６を参照して、撮像装置１００から各種情報を受信した際の情報提供装置３００の動作について説明する。なお、本処理は、情報提供装置３００のＣＰＵ３０１がＨＤＤ３０４に格納されたプログラムをＲＡＭ３０３に展開して実行することにより実現される。
【００５１】
図６において、Ｓ６０１では、ＣＰＵ３０１は、撮像装置１００から機種情報や撮影条件に関する情報、レンズ固有情報などを受信する。
【００５２】
Ｓ６０２では、ＣＰＵ３０１は、図４に示すデータベース４００を参照し、Ｓ６０１で受信した各種情報と一致するシーンを検索する。なお、撮影補助情報は撮像装置１００から送信されないため、本実施形態では撮影補助情報を除く項目を検索の対象とする。なお、各種情報と一致するか否かの判定基準は、必ずしも情報が同一である場合に限られず、ある程度の誤差範囲内にある撮影条件や、機能が共通する機器などには適合すると判定するように基準を設定することも可能である。また、必ずしも一致する項目は上述の項目には限定されず、そのうちの一部だけでもよいし、他の項目を設けてもよい。
【００５３】
以下では、ＣＰＵ３０１が、撮像装置１００から受信した各種情報がシーン１に一致すると判定されたものとして説明する。
【００５４】
Ｓ６０３では、ＣＰＵ３０１は、Ｓ６０２での検索の結果、一致したシーン（ここではシーン１）に紐付けられた撮影補助情報（ここではＰａｔｔｅｒｎＡ）をＨＤＤ３０４から読み出す。
【００５５】
次にＳ６０４では、ＣＰＵ３０１は、Ｓ６０３で読み出した撮影補助情報を撮像装置１００に送信し、処理を終了する。
【００５６】
図５の説明に戻り、Ｓ５０４では、ＣＰＵ１０２は、情報提供装置３００から送信された撮影補助情報を受信する。
【００５７】
Ｓ５０５では、ＣＰＵ１０２は、Ｓ５０４で受信した撮影補助情報を表示部１０７に表示する。
【００５８】
図７は、撮影補助情報が提示された画面を例示している。図７では、撮影補助情報７００として、被写体である山の稜線を最適な位置に合わせるための点線を表示している。ここでユーザは撮影補助情報７００を元に構図を合わせて撮影を行うことが可能となる。
【００５９】
本実施形態によれば、情報提供装置３００へ撮像装置１００の機種情報や撮影条件、装着中のレンズの固有情報などを送信し、撮影補助情報を取得することにより、ユーザが使用しているレンズを含めた撮像装置の構成に最適な構図で撮影を行うことが可能となる。
【００６０】
［実施形態２］次に、図８ないし図１０を参照して、実施形態２による撮影補助情報の取得処理について説明する。
【００６１】
図５の実施形態１では、撮像装置の機種情報や撮影条件、装着中のレンズ固有情報などに基づいて撮影補助情報を取得していた。これに対して、本実施形態では、装着中のレンズに加えて、装着した履歴のあるレンズの固有情報に基づいて撮影補助情報を取得する。
【００６２】
なお、本実施形態の前提として、撮像装置１００や情報提供装置３００は実施形態１と同様の構成を有し、既に複数のレンズユニットを装着した履歴があるものとする。レンズユニットを装着したときにその不揮発性メモリ２０３に格納されているレンズ情報が、通信部２０５を介して撮像装置１００の不揮発性メモリ１１０に履歴情報として記録される。ここでは、撮像装置１００が、レンズＡ、レンズＢ、レンズＣの３種のレンズユニットを装着した履歴があり、撮像装置１００の不揮発性メモリ１１０に３種のレンズの履歴情報が記録されているものとする。
【００６３】
図８は、実施形態２による撮影補助情報の取得処理を示している。
【００６４】
図８において、Ｓ８０１〜Ｓ８０４の処理は、図５のＳ５０１〜Ｓ５０４での処理とほぼ同じであり、情報提供装置３００へ送信する情報の中に、上述した装着したレンズの履歴情報が追加される。また、情報提供装置３００は、撮像装置１００から受信した情報の中に、レンズの履歴情報が含まれているため、データベース４００のレンズごとに適合する撮影補助情報から１つを選定する。この選定方法として、例えば受信した情報に最も近い値のシーンの撮影補助情報を選定してもよい。また、例えばレンズの装着回数や使用頻度も合わせて情報提供装置へ送信し、装着回数や使用頻度の高いレンズに適合する撮影補助情報を優先的に選定してもよい。
【００６５】
そして、Ｓ８０５にて、ＣＰＵ１０２は、構図判定部１１３において情報提供装置３００から受信した撮影補助情報に基づいて装着中のレンズで撮影パラメータの設定可能であるか判定する。この判定方法は、例えば、撮影補助情報にメタデータとして設定可能なレンズ情報を加え、それを元に撮像装置１００で判定を行う。Ｓ８０５での判定の結果、設定可能であると判定されたならば、Ｓ８０６で、ＣＰＵ１０２は、撮影補助情報を表示部１０７へ表示し、ユーザへ提示する。
【００６６】
Ｓ８０５にて設定不可と判定されたならば、Ｓ８０７で、ＣＰＵ１０２は、レンズ交換勧告メッセージを表示部１０７へ表示し、ユーザにレンズ交換を促す。
【００６７】
図９（ａ）は、Ｓ８０７でのレンズ交換勧告メッセージの表示例を示している。ここでは情報提供装置３００から広角レンズで撮影パラメータの設定が可能な撮影補助情報を取得したものとし、装着履歴のある広角レンズ（ここではレンズＢとする）への交換を勧告していることを示している。
【００６８】
図９（ｂ）は、レンズ交換後の表示例を示している。ユーザがメッセージに従いレンズを交換すると、交換後のレンズで設定可能な撮影補助情報７００が提示される。また、装着履歴のある全てのレンズについて撮影補助情報を取得する度に情報提供装置へ送信すると、ユーザが所望しないレンズ情報を送信してしまう可能性があるため、図１０（ａ）に示すように、履歴情報から削除することも可能である。削除された情報は、それ以降、情報提供装置への情報送信には含まれないことになる。また、装着履歴のないレンズＤの装着を検出した場合、図１０（ｂ）に示すように、レンズＤについて履歴情報として記憶するか否かを問い合わせ、ユーザが決定するように構成してもよい。装着履歴の有無の判定は、レンズ装着ごとに不揮発性メモリ１１０に記録されているレンズ情報と照合を行い、一致する装着履歴情報が存在しなければ、図１０（ｂ）に示すような提示を行う。
【００６９】
本実施形態によれば、レンズの装着履歴情報を保持し、それに応じた撮影補助情報を取得することにより、装着履歴のあるレンズで撮影パラメータの設定が可能な撮影補助情報のみを情報提供装置から取得することが可能となる。
【００７０】
［実施形態３］図１１及び図１２を参照して、実施形態３について説明する。
【００７１】
上述した実施形態では、情報提供装置から撮影補助情報を１つの構図のみ取得していたが、本実施形態では、情報提供装置から複数の撮影補助情報を取得する。
【００７２】
図１１は、実施形態３の撮影補助情報の取得処理を示している。
【００７３】
なお、本実施形態の前提として、撮像装置１００や情報提供装置３００は上述した実施形態と同様の構成を有している。また、図１１において、Ｓ１１０１〜Ｓ１１０３の処理は、図５のＳ５０１〜Ｓ５０３での処理と同様であるので、説明は省略する。
【００７４】
図１１において、Ｓ１１０４では、ＣＰＵ１０２は、情報提供装置３００から複数の撮影補助情報を受信する。ここで受信した情報は撮像装置１００に保持しておくが、不揮発性メモリ１１０やＲＡＭ（不図示）など、記憶領域であればどこに保持しても構わない。
【００７５】
Ｓ１１０５では、ＣＰＵ１０２は、複数の撮影補助情報を表示部１０７に表示し、ユーザが複数の撮影補助情報からいずれかを指定する。
【００７６】
Ｓ１１０６では、ＣＰＵ１０２は、図５のＳ５０５と同様に、構図判定部１１３においてユーザが指定した撮影補助情報が現在装着中のレンズで撮影パラメータの設定が可能であるか判定する。判定の結果、設定可能であると判定されたならば、Ｓ１１０７で、ＣＰＵ１０２は、図９（ｂ）に示すような撮影補助情報７００を表示部１０７へ表示し、ユーザへ提示する。
【００７７】
Ｓ１１０６にて設定不可と判定されたならば、Ｓ１１０８で、ＣＰＵ１０２は、図９（ａ）に示すようなレンズ交換勧告メッセージを表示部１０７へ表示し、ユーザにレンズ交換を促す。ここで、図９（ａ）及び（ｂ）の表示に代えて、図１２に示すような他の撮影補助情報への変更が可能なことを示す勧告を提示してもよい。
【００７８】
Ｓ１１０９にてユーザがメッセージに従って別の撮影補助情報へ変更した場合、Ｓ１１０６へ戻り、変更後の撮影補助情報について撮影パラメータが設定可能であるか判定を行い、撮影補助情報提示またはレンズ交換勧告提示を行う。
【００７９】
本実施形態によれば、情報提供装置から複数の撮影補助情報を取得し、ユーザが複数の撮影補助情報から撮像装置に適合すると思われる任意の撮影補助情報を選択し、選択された撮影補助情報で撮影パラメータの設定が可能であるか判定した結果を提示する。よって、複数の撮影補助情報の中から最適な構図で撮影を行うことが可能となる。
【００８０】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005967991.tif 000002
【図２】
0005967991.tif 000003
【図３】
0005967991.tif 000004
【図４】
0005967991.tif 000005
【図５】
0005967991.tif 000006
【図６】
0005967991.tif 000007
【図７】
0005967991.tif 000008
【図８】
0005967991.tif 000009
【図９】
0005967991.tif 000010
【図１０】
0005967991.tif 000011
【図１１】
0005967991.tif 000012
【図１２】
0005967991.tif 000013